(57)【要約】【課題】紛失時に、周囲に迷惑をかけることなく簡単に見つけだすことができる携帯端末装置及びその捜査方法を提供すること。【解決手段】紛失した携帯端末装置１００は、ロックのかかっている状態で、他の端末から電話回線及び基地局３００を介して位置情報の問い合わせがあったとき、他の端末に自端末の位置情報を送信するとともに、<通常モード>から<報知モード>に移行する。<報知モード>時にはキーユニット２００からのサーチ信号の受信レベルを判定し、サーチ信号の受信レベルが第１レベルＡ１以上の場合にはキーロックを維持しつつ鳴動し、第１レベルＡ１より大きい第２レベルＡ２以上の場合には鳴動を停止してロックを解除する。【選択図】図１
2009027562.tif 000002
【特許請求の範囲】
【請求項１】
所定コマンド及び無線認証ユニットからのサーチ信号を受信する受信手段と、
自端末の所在を報知する報知手段と、
前記コマンドを受信すると、通常モードから自端末の所在を報知する報知モードに移行するとともに、前記無線認証ユニットからの前記サーチ信号の受信レベルを判定し、前記サーチ信号の受信レベルが第１レベル以上の場合には前記報知手段により報知し、前記サーチ信号の受信レベルが前記第１レベルより大きい第２レベル以上の場合には前記報知を停止して前記通常モードに復帰する制御を行う制御手段と
を備える携帯端末装置。
【請求項２】
前記無線認証ユニットとの間で無線信号を送受信して無線認証を行い、認証距離から外れると使用制限をかけるキーロック手段をさらに備える請求項１記載の携帯端末装置。
【請求項３】
前記制御手段は、前記サーチ信号の受信レベルが前記第１レベル以上の場合には報知を開始し、前記サーチ信号の受信レベルが前記第２レベル以上の場合には前記報知を停止し、かつ、前記キーロックを解除する請求項２記載の携帯端末装置。
【請求項４】
前記制御手段は、前記キーロックのかかっている状態で、前記他端末からの位置情報の問い合わせを前記コマンドとして受信した場合に、前記報知モードに移行する請求項２に記載の携帯端末装置。
【請求項５】
前記受信手段は、前記無線認証ユニットのＩＤ番号を基に生成された前記サーチ信号を受信する請求項１記載の携帯端末装置。
【請求項６】
前記制御手段は、前記報知モードに移行すると、他端末に自端末の位置情報を送信する制御を行う請求項１に記載の携帯端末装置。
【請求項７】
前記報知手段は、自端末の所在を鳴動して報知する請求項１に記載の携帯端末装置。
【請求項８】
所定コマンド及び他端末からの捜査モード用サーチ信号を受信する受信手段と、
自端末の所在を報知する報知手段と、
前記コマンドを受信すると、通常モードから自端末の所在を報知する報知モードに移行するとともに、他端末からの前記捜査モード用サーチ信号の受信レベルを判定し、前記捜査モード用サーチ信号の受信レベルが第１レベル以上の場合には前記報知手段により報知し、前記捜査モード用サーチ信号の受信レベルが前記第１レベルより大きい第２レベル以上の場合には前記報知を停止する制御を行う制御手段と
を備える携帯端末装置。
【請求項９】
無線認証ユニットとの間で無線信号を送受信して無線認証を行い、認証距離から外れると使用制限をかけるキーロック手段をさらに備える請求項８記載の携帯端末装置。
【請求項１０】
前記制御手段は、前記キーロックのかかっている状態で、前記他端末からの位置情報の問い合わせを前記コマンドとして受信した場合に、前記報知モードに移行する請求項９に記載の携帯端末装置。
【請求項１１】
前記制御手段は、前記報知モードから通常モードに復帰した際に前記捜査モード用サーチ信号及びその捜査モード用サーチ信号に対応する捜査モード用サーチ応答信号を消去する請求項９記載の携帯端末装置。
【請求項１２】
前記受信手段は、自端末の電話番号を基に生成された捜査モード用サーチ信号を受信する請求項８記載の携帯端末装置。
【請求項１３】
前記制御手段は、前記報知モードに移行すると、他端末に自端末の位置情報を送信する制御を行う請求項８記載の携帯端末装置。
【請求項１４】
前記報知手段は、自端末の所在を鳴動して報知する請求項８記載の携帯端末装置。
【請求項１５】
捜査対象端末の位置情報を受信する受信手段と、
捜査対象端末に対して所定コマンド及び捜査モード用サーチ信号を送信する送信手段と、
前記捜査対象端末の位置情報を表示する表示手段と、
前記コマンドを受信した捜査対象端末から送信された前記位置情報を受信すると、通常モードから前記捜査対象端末の所在を探す捜査モードに移行するとともに、前記送信手段により前記捜査モード用サーチ信号を送信し、前記捜査モード用サーチ信号に対応する捜査モード用サーチ応答信号の受信レベルが所定レベル以上の場合には前記表示を停止して前記通常モードに復帰する制御を行う制御手段と
を備える携帯端末装置。
【請求項１６】
前記捜査対象端末の位置情報と現在の位置情報とを比較し、所定の距離内にあることを検出した場合に前記捜査モード用サーチ信号を送信する請求項１５記載の携帯端末装置。
【請求項１７】
前記制御手段は、前記捜査モード用サーチ信号に対応する捜査モード用サーチ応答信号の受信レベルを判定し、前記捜査モード用サーチ応答信号の受信レベルが第１レベル以上の場合には前記表示手段により表示し、前記捜査モード用サーチ応答信号の受信レベルが前記第１レベルより大きい第２レベル以上の場合には前記表示を停止して前記通常モードに復帰する請求項１５記載の携帯端末装置。
【請求項１８】
前記制御手段は、前記捜査対象端末の電話番号を含むＩＤ番号を基に前記捜査モード用サーチ信号を生成する請求項１５記載の携帯端末装置。
【請求項１９】
前記制御手段は、前記捜査モードが終了した際に前記捜査モード用サーチ信号及び前記捜査モード用サーチ応答信号を消去する請求項１５記載の携帯端末装置。
【請求項２０】
前記捜査対象端末に接近したことを報知する報知手段をさらに備える請求項１５記載の携帯端末装置。
【請求項２１】
所定コマンドを受信するステップと、
前記コマンドを受信すると、通常モードから自端末の所在を報知する報知モードに移行するステップと、
無線認証ユニットからのサーチ信号を受信するステップと、
受信したサーチ信号の受信レベルを判定するステップと、
前記サーチ信号の受信レベルが第１レベル以上の場合には自端末の所在を報知するステップと、
前記サーチ信号の受信レベルが前記第１レベルより大きい第２レベル以上の場合には前記報知を停止して前記通常モードに復帰するステップと
を有する携帯端末装置の捜査方法。
【請求項２２】
所定コマンドを受信するステップと、
前記コマンドを受信すると、通常モードから自端末の所在を報知する報知モードに移行するとともに、
他端末からの捜査モード用サーチ信号を受信する受信手段と、
受信した捜査モード用サーチ信号の受信レベルを判定するステップと、
前記捜査モード用サーチ信号の受信レベルが第１レベル以上の場合には自端末の所在を報知するステップと、
前記捜査モード用サーチ信号の受信レベルが前記第１レベルより大きい第２レベル以上の場合には前記報知を停止して前記通常モードに復帰するステップと
を有する携帯端末装置の捜査方法。
【請求項２３】
捜査対象端末の位置情報を受信するステップと、
捜査対象端末に対して所定コマンドを送信するステップと、
前記捜査対象端末の位置情報を表示するステップと、
前記コマンドを受信した捜査対象端末から送信された前記位置情報を受信すると、通常モードから前記捜査対象端末の所在を探す捜査モードに移行するステップと、
捜査対象端末に対して捜査モード用サーチ信号を送信するステップと、
前記捜査モード用サーチ信号に対応する捜査モード用サーチ応答信号の受信レベルが所定レベル以上の場合には前記表示を停止して前記通常モードに復帰するステップと
を有する携帯端末装置の捜査方法。
【発明の詳細な説明】
【技術分野】
【０００１】
本発明は、携帯端末装置及びその捜査方法に係り、特に紛失して所在が分からなくなった携帯電話機などの携帯端末装置を捜査する携帯端末装置及びその捜査方法に関する。
【背景技術】
【０００２】
携帯電話機等の携帯端末装置は、その携帯性から任意の場所から相手端末と通信できるため、非常に便利である反面、紛失し易く、また盗難に合う可能性もある。携帯端末装置を紛失した場合、その携帯端末装置が所有者の近くにある場合は、紛失した携帯端末装置の着信音を鳴らすことにより捜査することができる。しかし、紛失した場所を特定できない場合や、紛失した携帯端末装置の着信音量が制限されている場合は捜査が困難である。
【０００３】
また、携帯電話機には、盗難等による所有者以外の者の無断使用を防止する対策として、使用制限機能が付加されている。一般に、この使用制限機能は、所有者によるＩＤ、すなわち、暗証番号によって使用制限を解除することにより、通話を可能にするものである。暗証番号による使用制限及びその解除は、キーボードによる操作が必要であり、電話の都度、制限及び解除操作を必要としている。通話後、使用制限を行わなかった場合、その携帯電話機が盗難に遭うと、無制限に通話が行われたり、個人情報を見られたりするおそれがある。
【０００４】
特許文献１には、置き忘れや盗難により携帯電話機などの機器が所有者又は使用者の手元から離れると機器そのものを使用不能にするとともに、機器が一定距離以上離れたことを警告する機器の使用制限装置が開示されている。
【０００５】
特許文献２、３には、捜査用携帯情報端末から送信された捜査用メールを受信すると、ダイアルロックし位置情報を送信する携帯情報端末が記載されている。
【０００６】
特許文献４には、紛失した携帯電話端末の現在位置に関する情報から実際の場所を特定し、捜査する際の手掛かりを得る携帯電話端末が開示されている。特許文献４記載の装置は、外部からの遠隔コマンド送信で機能制限し、コマンドに応答可能な状態に切替わる。そして、コマンドを受けて現在位置を送信する。
【特許文献１】特開平１１−８８４９９号公報
【特許文献２】特開２００５−２９５３０９号公報
【特許文献３】特開２００２−１１１８５８号公報
【特許文献４】特開２００４−１４０７１０号公報
【発明の開示】
【発明が解決しようとする課題】
【０００７】
しかしながら、このような従来の紛失・盗難時の対策を備えた携帯端末装置にあっては、以下のような課題がある。
【０００８】
携帯電話紛失時に直接電話をかけた場合、自分が近くにいないのに鳴ってしまうことになり、周囲に迷惑をかける。
【０００９】
また、ＧＰＳ（Global Positioning System）を使って紛失した位置情報を取得する装置の場合、ＧＰＳの受信環境が悪い場所では対象の範囲が数百ｍとなり、十分に絞り込むことができず発見できない。
【００１０】
本発明は、かかる点に鑑みてなされたものであり、紛失時に、周囲に迷惑をかけることなく簡単に見つけだすことができる携帯端末装置及びその捜査方法を提供することを目的とする。
【課題を解決するための手段】
【００１１】
本発明の携帯端末装置は、所定コマンド及び無線認証ユニットからのサーチ信号を受信する受信手段と、自端末の所在を報知する報知手段と、前記コマンドを受信すると、通常モードから自端末の所在を報知する報知モードに移行するとともに、前記無線認証ユニットからの前記サーチ信号の受信レベルを判定し、前記サーチ信号の受信レベルが第１レベル以上の場合には前記報知手段により報知し、前記サーチ信号の受信レベルが前記第１レベルより大きい第２レベル以上の場合には前記報知を停止して前記通常モードに復帰する制御を行う制御手段とを備える構成を採る。
【００１２】
本発明の携帯端末装置は、所定コマンド及び他端末からの捜査モード用サーチ信号を受信する受信手段と、自端末の所在を報知する報知手段と、前記コマンドを受信すると、通常モードから自端末の所在を報知する報知モードに移行するとともに、他端末からの前記捜査モード用サーチ信号の受信レベルを判定し、前記捜査モード用サーチ信号の受信レベルが第１レベル以上の場合には前記報知手段により報知し、前記捜査モード用サーチ信号の受信レベルが前記第１レベルより大きい第２レベル以上の場合には前記報知を停止する制御を行う制御手段とを備える構成を採る。
【００１３】
本発明の携帯端末装置は、捜査対象端末の位置情報を受信する受信手段と、捜査対象端末に対して所定コマンド及び捜査モード用サーチ信号を送信する送信手段と、前記捜査対象端末の位置情報を表示する表示手段と、前記コマンドを受信した捜査対象端末から送信された前記位置情報を受信すると、通常モードから前記捜査対象端末の所在を探す捜査モードに移行するとともに、前記送信手段により前記捜査モード用サーチ信号を送信し、前記捜査モード用サーチ信号に対応する捜査モード用サーチ応答信号の受信レベルが所定レベル以上の場合には前記表示を停止して前記通常モードに復帰する制御を行う制御手段とを備える構成を採る。
【００１４】
本発明の携帯端末装置の捜査方法は、所定コマンドを受信するステップと、前記コマンドを受信すると、通常モードから自端末の所在を報知する報知モードに移行するステップと、無線認証ユニットからのサーチ信号を受信するステップと、受信したサーチ信号の受信レベルを判定するステップと、前記サーチ信号の受信レベルが第１レベル以上の場合には自端末の所在を報知するステップと、前記サーチ信号の受信レベルが前記第１レベルより大きい第２レベル以上の場合には前記報知を停止して前記通常モードに復帰するステップとを有する。
【００１５】
本発明の携帯端末装置の捜査方法は、所定コマンドを受信するステップと、前記コマンドを受信すると、通常モードから自端末の所在を報知する報知モードに移行するとともに、他端末からの捜査モード用サーチ信号を受信する受信手段と、受信した捜査モード用サーチ信号の受信レベルを判定するステップと、前記捜査モード用サーチ信号の受信レベルが第１レベル以上の場合には自端末の所在を報知するステップと、前記捜査モード用サーチ信号の受信レベルが前記第１レベルより大きい第２レベル以上の場合には前記報知を停止して前記通常モードに復帰するステップとを有する。
【００１６】
本発明の携帯端末装置の捜査方法は、捜査対象端末の位置情報を受信するステップと、捜査対象端末に対して所定コマンドを送信するステップと、前記捜査対象端末の位置情報を表示するステップと、前記コマンドを受信した捜査対象端末から送信された前記位置情報を受信すると、通常モードから前記捜査対象端末の所在を探す捜査モードに移行するステップと、捜査対象端末に対して捜査モード用サーチ信号を送信するステップと、前記捜査モード用サーチ信号に対応する捜査モード用サーチ応答信号の受信レベルが所定レベル以上の場合には前記表示を停止して前記通常モードに復帰するステップとを有する。
【発明の効果】
【００１７】
本発明によれば、紛失した携帯端末装置の近くにいるときだけ鳴動させることができ、簡単に見つけることができる。紛失した携帯端末装置の場所をより絞り込むことができる。また、持ち主が近くにいるときのみ鳴ってくれるので、直接電話をかけたときのように鳴りっぱなしで周囲に迷惑をかけるといったことがなくなる。したがって、紛失時に、周囲に迷惑をかけることなく簡単に見つけだすことができる。
【発明を実施するための最良の形態】
【００１８】
以下、本発明の実施の形態について図面を参照して詳細に説明する。
【００１９】
（実施の形態１）
図１は、本発明の実施の形態１に係る紛失捜査機能を有する携帯端末装置の構成を示すブロック図である。本実施の形態に係る携帯端末装置は、携帯電話機に適用した例である。
【００２０】
本実施の形態は、無線認証ユニット（以下、キーユニットと呼ぶ）を使って紛失した携帯端末装置を探す例である。
【００２１】
図１において、本システムは、携帯電話機／ＰＨＳ（Personal Handy-Phone System），ＰＤＡ（Personal Digital Assistants），ノート型ＰＣ，ＭＰ３プレーヤー，ＨＤＤプレーヤーなどの携帯端末装置１００と、携帯端末装置１００と相互に通信（ポーリング）をすることで距離が一定以上離れた場合、携帯端末装置１００を自動ロックし警報を鳴らすキーユニット２００と、携帯端末装置１００と通信を行う基地局３００とから構成される。
【００２２】
携帯電話機などの携帯端末装置１００がユーザの手元から離れ認証距離から外れると携帯端末装置１００を使用不能にするとともに、ユーザが所持するキーユニット２００が置き忘れ警報を鳴らす。具体的には、キーユニット２００と携帯端末装置１００内の使用制限解除ユニット間で無線信号を受信して無線認証（無線を用いた認証）を行うシステムにおいて、受信レベルが一定値以下になったことをそれぞれのユニットが検出すると、使用制限解除ユニットが使用制限解除信号の送り出しを停止することによって携帯端末装置１００の使用制限が行われ、キーユニット２００は警報信号を発する。これにより、置き忘れや盗難を防止することができる。
【００２３】
携帯端末装置１００は、アンテナ１０１、通信部１０２、スピーカ１０３、表示部１０４、ＧＰＳ１０５、アンテナ１０６、無線認証部１０７、及び携帯端末装置制御部１０８を備えて構成される。
【００２４】
通信部１０２は、携帯端末装置１００のキャリア通信部とデータ処理部である。本実施の形態は、携帯端末装置１００を携帯電話機に適用した例であるため、携帯電話機本体の通信機能を示しているが、携帯端末装置１００が、ＰＤＡ，ノート型ＰＣ，ＭＰ３プレーヤー，ＨＤＤプレーヤーなどである場合はこの部分はこれら携帯機器の本体機能部となる。無線認証部１０７からの使用制限解除信号の受信により本体機能が使用可能となり、使用制限解除信号を受信しないか又は使用制限信号を受信したとき本体機能の一部又は全部の使用が制限される。
【００２５】
携帯端末装置１００は、基地局３００及びネットワークを介して携帯電話会社サーバと情報の送受信を行い、接近確認から自端末の現在位置情報を取得する。あるいは、ＧＰＳ１０５は、位置情報の電波をＧＰＳ衛星等から受信するＧＰＳアンテナを備え、ＧＰＳアンテナを介して受信した情報より、現在位置情報を、緯度／経度の２つのパラメータとして算出するＧＰＳ機能により位置情報を取得する。
【００２６】
無線認証部１０７は、送受信部１１０、ＩＤ記憶部１１２、認証制御部１１４を備えて構成される。送受信部１１０は、ＩＤなどを送受信する。ＩＤ記憶部１１２は、認証を行うためのＩＤを記憶する。認証制御部１１４は、記憶ＩＤと受信ＩＤ照合を行う無線認証部１０７の制御部である。
【００２７】
無線認証部１０７は、アンテナ１０６を介してキーユニット２００と無線通信し相互に無線認証を行う。無線認証部１０７は、予め関連付けされたＩＤを所有し無線通信により互いが１対であることを把握することで常時認証を行う。携帯端末装置１００とキーユニット２００とが互いに認証されている間は問題なく携帯端末装置１００を操作することができる。認証が正常に行われなかった場合には、携帯端末装置１００の操作に制限がかかり、キーユニット２００は警報を発する。
【００２８】
携帯端末装置制御部１０８は、キーロック（以下、ロックという）のかかっている状態で、他の端末からの位置情報の問い合わせがあったとき、他の端末に自端末の位置情報を送信するとともに、<通常モード>から<報知モード>に移行する。携帯端末装置制御部１０８は、<報知モード>時にはキーユニット２００からのサーチ信号の受信レベルを判定し、サーチ信号の受信レベルが第１レベル以上の場合にはロックを維持しつつ鳴動し、第１レベルより大きい第２レベル以上の場合には鳴動を停止してロックを解除する。キーユニット２００から所定レベルの信号を検出すると<通常モード>に復帰する。
【００２９】
一方、キーユニット２００は、アンテナ２０１、送受信部２０２、ＩＤ記憶部２０３、及び認証制御部２０４を備え、これらは携帯端末装置１００と無線認証を行う無線認証部２０５を構成する。図示は省略するが各部に電源を供給する電池を備える。
【００３０】
送受信部２０２は、ＩＤなどを送受信する。ＩＤ記憶部２０３は、認証を行うためのＩＤを記憶する。認証制御部２０４は、記憶ＩＤと受信ＩＤ照合を行うキーユニット２００の制御部である。
【００３１】
キーユニット２００の無線認証部２０５と携帯端末装置１００の無線認証部１０７とは、例えば４００ＭＨｚ帯の特定小電力無線周波数帯を使って低消費電力で双方向無線通信を行う通信モジュールにより構成される。
【００３２】
以下、上述のように構成された携帯端末装置の紛失捜査動作について説明する。
【００３３】
携帯端末装置１００及びキーユニット２００は、紛失捜査機能として<通常モード>と<報知モード>の２つのモードを持つ。<通常モード>は、無線認証通信を使用して携帯端末装置１００に使用制限（ロック）をかける通常のモードである。<報知モード>は、紛失時に携帯端末装置１００を捜査する捜査専用のモードである。<通常モード>と<報知モード>とは相互に移行可能であり、紛失時に<通常モード>から<報知モード>に移行し、発見時に<報知モード>から<通常モード>に戻る。モード移行の詳細については、図４により後述する。
【００３４】
図２は、通常モードの携帯端末装置１００及びキーユニット２００の動作を説明する図であり、図２（ａ）は携帯端末装置１００とキーユニット２００が離れている場合、図２（ｂ）は携帯端末装置１００とキーユニット２００が近づいた場合を示す。
【００３５】
<通常モード>は、無線認証通信を使用して携帯端末装置１００に使用制限（ロック）をかける通常の使用制限方法である。図２（ａ）に示すように、携帯端末装置１００とキーユニット２００が離れている場合、携帯端末装置１００にロックがかかって紛失・盗難時の不正使用が未然に防止でき、図２（ｂ）に示すように、携帯端末装置１００とキーユニット２００が近づくと、携帯端末装置１００のロックが解除されて使用可能になる。
【００３６】
ここで、携帯端末装置１００とキーユニット２００が離れているか否かは、以下の方法で判定することができる。携帯端末装置１００とキーユニット２００が認証状態にあり、両者の距離を近づけたとすると、キーユニット２００から携帯端末装置１００の無線認証部１０７内にある送受信部１１０に入力される認証信号のパワーレベルは大きくなる。この認証信号のパワーレベルを測定し、所定のパワーレベルと比較することで、携帯端末装置１００とキーユニット２００との距離を判定することができる。
【００３７】
また、キーユニット２００から送信される認証信号には、携帯端末装置１００及びキーユニット２００の間で予め決められたＩＤが含まれている。認証信号を受信した携帯端末装置１００は、ＩＤを確認することにより、正しいキーユニット２００であることを認証することができる。そして、携帯端末装置１００は、認証信号のパワーレベルが所定レベル以上（距離が所定距離以内）の場合においても、正しいキーユニット２００のＩＤを確認できなかったときには、携帯端末装置１００にロックがかかって紛失・盗難時の不正使用が未然に防止できる。認証信号のパワーレベルが所定レベル以上（距離が所定距離以内）の場合において、正しいキーユニット２００のＩＤを確認できたときには、携帯端末装置１００のロックが解除されて使用可能になる。
【００３８】
図３は、報知モードの携帯端末装置１００及びキーユニット２００の動作を説明する図であり、図３（ａ）は携帯端末装置１００とキーユニット２００が離れている場合、図３（ｂ）は携帯端末装置１００とキーユニット２００が近づいた場合、図３（ｃ）は携帯端末装置１００とキーユニット２００がさらに近づいた場合を示す。
【００３９】
携帯端末装置１００を紛失した場合、紛失した携帯端末装置１００は、<通常モード>から<報知モード>になる。
【００４０】
<報知モード>は、携帯端末装置紛失時に、周囲に迷惑をかけることなく簡単に見つけだすことができる紛失発見専用モードである。図３（ａ）に示すように、携帯端末装置１００とキーユニット２００が離れている場合（例えば、１０メートル以上）、<通常モード>の場合と同様に携帯端末装置１００にロックがかかって紛失・盗難時の不正使用が未然に防止できる。
【００４１】
図３（ｂ）に示すように、携帯端末装置１００とキーユニット２００とが近づいて、両者の距離が所定距離範囲（例えば、１０メートルから１メートルまでの範囲）になった場合（認証信号のパワーレベルが所定パワーレベル範囲になった場合）、携帯端末装置１００のロックを維持したまま、携帯端末装置１００を鳴動させる。このように、<報知モード>中に紛失した携帯端末装置１００の所定距離範囲に来ると紛失した携帯端末装置１００を鳴動させる。この場合、携帯端末装置１００のロックは解除しない。
【００４２】
図３（ｃ）に示すように、携帯端末装置１００とキーユニット２００がさらに近づくと（例えば、１メートル以下）、携帯端末装置１００のロックを解除し、携帯端末装置１００の鳴動を停止する。紛失した携帯端末装置１００の近くにさらに近づくと携帯端末装置１００の鳴動を停止し、<通常モード>に戻る。
【００４３】
このように、キーユニット２００を使って紛失した携帯端末装置１００を鳴動させ、紛失した携帯端末装置１００を探すことができる。直接電話をかけたときのように、鳴りっぱなしで周囲に迷惑をかけるといったことがない。<報知モード>中は、携帯端末装置１００は常にロックされているので、近付いても見つけるまでは勝手に解除されずセキュリティを保つことができる。
【００４４】
図４は、紛失した携帯端末装置１００のモード移行を説明する図である。
[紛失したことの検出]
<通常モード>にある紛失した携帯端末装置１００は、ロックのかかっている状態（<通常モード>のサーチモード）で、他の端末から位置情報の問い合わせがあったとき紛失したと判断し、基地局３００に位置情報を送信するとともに、<報知モード>に移行する。なお、ロックのかかっていない状態（<通常モード>の認証モード）での、位置情報の問い合わせは、通常の位置情報の問合せと判断して<報知モード>に移行しない。
[報知モード動作]
紛失した携帯端末装置１００は、キーユニット２００が所定距離範囲（例えば、１０メートルから１メートルまでの範囲）に近づいたことを検出するとロックを維持しつつ、鳴動する。
[発見したことの検出]
さらに近付いたことを検出すると（例えば、１メートル以下）、鳴動を停止し、ロックを解除する。具体的には、キーユニット２００から所定レベル以上の信号を検出し、かつ、正しいＩＤであることを確認すると、<通常モード>に移行する。
【００４５】
図５は、キーユニット２００の動作を示すフローチャートであり、認証制御部２０４により実行される。図６は、紛失した携帯端末装置１００の動作を示すフローチャートであり、携帯端末装置制御部１０８により実行される。図中、Ｓはフローの各ステップを示す。
【００４６】
図５に示すように、ステップＳ１でキーユニット２００は<サーチモード>である場合、ステップＳ２でサーチ信号を送信し、ステップＳ３で携帯端末装置からのサーチ応答信号を待ち受ける。サーチ応答信号が受信できなかった場合は、再度ステップＳ２に戻り、サーチ信号を送信する。
【００４７】
サーチ応答信号を受信した場合は、ステップＳ４で認証通信を行う。ステップＳ５で認証成功か否かを判別し、認証が成功した場合は、ステップＳ６で<認証モード>へと移行し、定期的にステップＳ４の認証通信を行う。
【００４８】
ステップＳ５で認証が成功しなかった場合は、ステップＳ２に戻りサーチ信号の送信を行う。このようにキーユニット２００は認証の成否によって、認証モードとサーチモードを移行する。
【００４９】
また、図６に示すように、ステップＳ１１で紛失した携帯端末装置１００は<通常モード>のときに、ステップＳ１２で基地局３００からの位置情報要求を受信する。
【００５０】
ステップＳ１３では、この位置情報要求に応えて基地局３００に位置情報を送信し、ステップＳ１４でロック状態か否かを判別する。ロック状態でなければステップＳ２５の<認証モード>に移り、処理を終了する。ロック状態の場合は、ステップＳ１５で<報知モード>に移行する。携帯端末装置１００はロック状態で位置情報を提供した場合、紛失した携帯端末装置１００と判断し、<報知モード>に移行する。
【００５１】
ステップＳ１６では、<報知モード>中にキーユニット２００からのサーチ信号を受信したか否かを判別し、<報知モード>中にキーユニット２００からのサーチ信号を受信した場合は、ステップＳ１７で認証通信を行う。サーチ信号を受信できなかった場合は、定期的にサーチ信号を待ち受ける。
【００５２】
ステップＳ１８では受信した認証信号に正しいＩＤが含まれているか否かを判別し、認証が失敗であればステップＳ１６に戻り、再度サーチ信号を待ち受ける。
【００５３】
認証が成功した場合は、キーユニット２００に応答を返し、ステップＳ１９で認証時の受信レベルと予め設定された所定レベルとを判定する。認証時の受信レベルが所定レベルＡ１より小さければ、ステップＳ２０に移り、ステップＳ２０で鳴動停止のまま上記ステップＳ１７に戻る。
【００５４】
認証時の受信レベルが所定レベルＡ１以上の場合は、ステップＳ２１で認証時の受信レベルが所定レベルＡ２（但し、Ａ２＞Ａ１）以上か否かを判定する。受信レベルがＡ２より小さければ、ステップＳ２２で鳴動を開始する。鳴動は、例えばスピーカ１０３による報音である。また、バイブレータ振動、ＬＥＤによる点灯も同時に行ってもよい。ＬＥＤによる点滅は、夜間の場合に有効である。<報知モード>中に、ペアリング済みのキーユニット２００が、受信レベルＡ１以上の距離まで近づいて来ると鳴動することになる。図３（ｂ）に示す携帯端末装置１００とキーユニット２００とが近づいた場合である。
【００５５】
上記ステップＳ２１で認証時の受信レベルが所定レベルＡ２以上の場合は、ステップＳ２３で鳴動を停止する。キーユニット２００が、受信レベルＡ２以上の距離まで近づいて来ると鳴動を停止することになる。図３（ｃ）に示す携帯端末装置１００とキーユニット２００とがさらに近づいた場合である。
【００５６】
次いで、ステップＳ２４でロックを解除し、ステップＳ２５で<認証モード>に移行して本フローを終了する。
【００５７】
以上詳細に説明したように、本実施の形態によれば、ペアリング済みのキーユニット２００を使って紛失した携帯端末装置１００を探す場合、紛失した携帯端末装置１００は、ロックのかかっている状態で、他の端末（例えば他の携帯電話機）から電話回線及び基地局３００を介して位置情報の問い合わせがあったとき、他の端末に自端末の位置情報を送信するとともに、<通常モード>から<報知モード>に移行する。<報知モード>時にはキーユニット２００からのサーチ信号の受信レベルを判定し、サーチ信号の受信レベルが第１レベルＡ１以上でかつ第２レベル未満（第２レベル＞第１レベル）の場合にはロックを維持しつつ鳴動し、第２レベルＡ２以上の場合には鳴動を停止してロックを解除する。キーユニット２００から所定レベルの信号を検出し、ＩＤを確認すると<認証モード>に復帰する。
【００５８】
この捜査方法を採ることで、紛失した携帯端末装置１００の近くにいるときだけ鳴動させることができ、簡単に見つけることができる。普段は携帯端末装置１００に近づいたときにロック解除だけでよいが、紛失した場合は近づいたときにどこにあるか分かるように報知して欲しいという要求に応えることができる。
【００５９】
また、紛失した携帯端末装置１００の場所をより絞り込むことができる。従来のＧＰＳを使った場合の捜索範囲が５０ｍ〜５００ｍであるのに対しキーユニット２００を使って探す本捜査方法の場合、捜索範囲は数ｍ程度となり格段に絞り込み範囲を狭くすることができる。
【００６０】
また、持ち主が近くにいるときのみ鳴ってくれるので、直接電話をかけたときのように鳴りっぱなしで周囲に迷惑をかけるといったことがなくなる。
【００６１】
また、<報知モード>中は常にロックされているため、近づいても携帯端末装置１００を見つけるまでは勝手に解除されない。
【００６２】
なお、本実施の形態では、携帯電話はロック状態で位置情報を提供した場合、<報知モード>にしているが、<報知モード>は遠隔ロックで直接行ってもよい。すなわち、ロック状態で位置情報提供した場合は、遠隔ロックによるユーザからの直接操作でもよい。このようにすれば、無線認証部１０７は起動していなくても、遠隔ロックの検出により起動させることができ、より使い勝手が向上する。
【００６３】
（実施の形態２）
実施の形態１では、キーユニット２００を使って紛失した携帯端末装置１００を探した。また、実施の形態１では、ＩＤを含む認証信号を用いた。これに対して、本実施の形態２では、他の携帯端末装置を使って紛失した携帯端末装置を捜査する例について説明する。また、本実施の形態２では、ＩＤとして、紛失した携帯端末装置１００の電話番号に基づいて生成した捜査モード用サーチ信号を用いる。
【００６４】
図７は、本発明の実施の形態２に係る紛失捜査機能を有する携帯端末装置の構成を示すブロック図である。図１と同一構成部分には同一番号を付して重複箇所の説明を省略する。
【００６５】
図７において、本システムは、携帯端末装置１００と、携帯端末装置１００を捜査する他の携帯端末装置４００と、携帯端末装置１００及び携帯端末装置４００と通信を行う基地局３００とから構成される。
【００６６】
携帯端末装置４００は、携帯端末装置１００とほぼ同一機能を持つ携帯電話機であり、アンテナ４０１、通信部４０２、スピーカ４０３、表示部４０４、ＧＰＳ４０５、アンテナ４０６、無線認証部４０７、及び携帯端末装置制御部４０８を備えて構成される。
【００６７】
通信部４０２は、携帯端末装置４００のキャリア通信部とデータ処理部である。
【００６８】
ＧＰＳ４０５は、位置情報の電波をＧＰＳ衛星等から受信するＧＰＳアンテナを備え、ＧＰＳアンテナを介して受信した情報より、現在位置情報を、緯度／経度の２つのパラメータとして算出するＧＰＳ機能により位置情報を取得する。
【００６９】
無線認証部４０７は、送受信部４１０と、捜査モード用サーチ信号／サーチ応答記憶部４１１を有するＩＤ記憶部４１２と、捜査モード用サーチ信号／サーチ応答生成部４１３を有する認証制御部４１４とから構成される。
【００７０】
無線認証部４０７は、アンテナ４０６を介して携帯端末装置１００と無線通信し相互に無線認証を行う。送受信部４１０は、ＩＤなどを送受信する。捜査モード用サーチ信号／サーチ応答生成部４１３は、紛失した携帯端末装置１００の電話番号に基づいて捜査モード用サーチ信号を生成する。ＩＤ記憶部４１２は、認証を行うためのＩＤを記憶し、捜査モード用サーチ信号／サーチ応答記憶部４１１には、ＩＤとして用いる捜査モード用サーチ信号を記憶する。認証制御部４１４は、紛失した携帯端末装置１００の位置情報を受信した場合、紛失した携帯端末装置１００を探すための<捜査モード>に移行し、後述する捜査モード制御を実行する。
【００７１】
携帯端末装置制御部４０８は、紛失した携帯端末装置１００から送信された位置情報を受信すると、<通常モード>から<捜査モード>に移行し、無線認証部４０７の送受信部４１０により捜査モード用サーチ信号を送信する。携帯端末装置制御部４０８は、<捜査モード>時には表示部４０４により紛失した携帯端末装置１００の位置情報又はおよその位置を表示する。また、捜査モード用サーチ応答信号の受信レベルが所定レベル以上、かつ、正しい捜査モード用サーチ信号である場合には表示を停止して<通常モード>に復帰する。
【００７２】
携帯端末装置４００の無線認証部４０７と携帯端末装置１００の無線認証部１０７とは、例えば４００ＭＨｚ帯の特定小電力無線周波数帯を使って低消費電力で双方向無線通信を行う通信モジュールにより構成される。
【００７３】
以下、上述のように構成された携帯端末装置の捜査モード動作について説明する。
【００７４】
携帯端末装置１００を捜査する他の携帯端末装置４００は、紛失した携帯端末装置１００を捜査する<捜査モード>を持つ。すなわち、他の携帯端末装置４００は、紛失した携帯端末装置１００を捜査するときは<捜査モード>に移行して、捜査を行う。また、捜査終了時時に<捜査モード>から<通常モード>に戻る。<捜査モード>移行の詳細については、図９により後述する。
【００７５】
実施の形態１と同様に、携帯端末装置１００は、<通常モード>と<報知モード>の２つのモードを持つ。<通常モード>は、無線認証通信を使用して携帯端末装置１００に使用制限（ロック）をかける通常のモードである。<報知モード>は、紛失時に携帯端末装置１００を捜査する捜査専用のモードである。<通常モード>と<報知モード>とは相互に移行可能であり、紛失時に<通常モード>から<報知モード>に移行し、発見時に<報知モード>から<通常モード>に戻る。
【００７６】
図８は、報知モードの携帯端末装置１００と捜査モードの他の携帯端末装置４００の動作を説明する図であり、図８（ａ）は携帯端末装置１００と他の携帯端末装置４００が離れている場合、図８（ｂ）は携帯端末装置１００と他の携帯端末装置４００が近づいた場合、図８（ｃ）は携帯端末装置１００と他の携帯端末装置４００がさらに近づいた場合を示す。
【００７７】
ここで、携帯端末装置１００と他の携帯端末装置４００が離れているか否かは、認証信号のパワーレベルにより判定することができる。
【００７８】
携帯端末装置１００を紛失した場合、紛失した携帯端末装置１００は、<通常モード>から<報知モード>になる。
【００７９】
<報知モード>は、携帯端末装置紛失時に、周囲に迷惑をかけることなく簡単に見つけだすことができる紛失発見専用モードである。また、<捜査モード>は、携帯端末装置１００を捜査する他の携帯端末装置４００が、携帯端末装置１００の捜査時に移行する捜査専用モードである。
【００８０】
図８（ａ）に示すように、携帯端末装置１００と他の携帯端末装置４００が離れている場合、携帯端末装置１００は鳴動しない。また、ロック解除はあくまでペアリング済みのキーユニット２００（図示略）によるものであるため、ロック／ロック解除とは無関係である。
【００８１】
図８（ｂ）に示すように、<報知モード>中に紛失した携帯端末装置１００に<捜査モード>にある他の携帯端末装置４００が近づくと、紛失した携帯端末装置１００を鳴動させる。
【００８２】
図８（ｃ）に示すように、携帯端末装置１００と他の携帯端末装置４００がさらに近づくと、携帯端末装置１００の鳴動を停止し、携帯端末装置１００は<通常モード>に戻る。また、他の携帯端末装置４００も<通常モード>に戻る。
【００８３】
図９は、紛失した携帯端末装置１００を捜査する他の携帯端末装置４００のモード移行を説明する図である。
[他の携帯端末装置からの捜査]
他の携帯端末装置４００が受信した位置情報の周辺に来た場合、捜査モードに移行する。
[捜査モード動作]
紛失した携帯端末装置１００の電話番号に基づいた捜査モード用サーチ信号を送信する。
【００８４】
紛失した携帯端末装置１００から所定レベルの信号を検出すると、<通常モード>に移行する。
【００８５】
この場合、紛失した携帯端末装置１００は、位置情報の送信先（他の携帯端末装置４００）の電話番号に基づいた応答信号を生成しておく。
【００８６】
電話番号に基づいた捜査モード用サーチ信号による通信では、紛失した携帯端末装置１００のロックは解除しない。ロック解除はあくまでペアリング済みのキーユニット２００による。
【００８７】
図１０は、他の携帯端末装置４００の動作及び紛失した携帯端末装置１００の動作を示すフローチャートである。また、本フローは、他の携帯端末装置４００の携帯端末装置制御部４０８と認証制御部４１４と紛失した携帯端末装置１００の無線認証部１０７と携帯端末装置制御部１０８間の制御シーケンスを示す。
【００８８】
〔他の携帯端末装置４００の携帯端末装置制御部４０８の動作〕
他の携帯端末装置４００は紛失した携帯端末装置１００の位置情報を受信した場合、紛失した携帯端末装置１００を探すための<捜査モード>になる。
【００８９】
基地局３００（図示せず）を介して紛失した携帯端末装置１００から位置情報要求に対する位置情報受信すると、ステップＳ３１で受信した位置情報（紛失した携帯端末装置１００の位置情報）を記憶し、認証制御部４１４に自／提供元電話番号を通知する（番号５０１参照）。
【００９０】
ステップＳ３２では、自端末の現在位置を測定する。自端末の現在位置は、基地局３００及びネットワークを介して携帯電話会社サーバと情報の送受信を行い、接近確認から自端末の現在位置情報を取得する。あるいは、ＧＰＳ４０５のＧＰＳ機能により位置情報を取得する。
【００９１】
ステップＳ３３では、自端末の現在位置と取得した位置情報（紛失した携帯端末装置１００の位置情報）とから自端末が取得した位置情報の周辺か否かを判別し、取得した位置情報の周辺でなければ上記ステップＳ３２に戻る。
【００９２】
自端末が取得した位置情報の周辺にある場合は、紛失した携帯端末装置１００を捜査可能であると判断して、ステップＳ３４で紛失した携帯端末装置１００の位置情報を表示する。この場合、表示部４０４に<捜査モード>である旨の表示（例えば、メッセージ表示やシンボルマーク表示）表示を行うことが好ましい。また、スピーカ４０３及びバイブレータ（図示せず）により鳴動させる態様であってもよい。
【００９３】
また、携帯端末装置制御部４０８は、認証制御部４１４に対して<捜査モード>起動要求を発行し（番号５０２参照）、その後、認証制御部４１４から照合結果通知を受信する（番号５０３参照）。なお、上記ステップＳ３４の表示／鳴動は、認証制御部４１４からの照合結果通知を受けて行う態様でもよい。
【００９４】
そして、携帯端末装置制御部４０８は、<捜査モード>で表示／鳴動中に、認証制御部４１４から<捜査モード>終了通知を受信する（番号５０４参照）。これにより、<捜査モード>が終了し、表示／鳴動を停止するとともに、<通常モード>に移行する。
【００９５】
〔他の携帯端末装置４００の認証制御部４１４の動作〕
携帯端末装置制御部４０８から自／提供元電話番号が通知されると（番号５０１参照）、ステップＳ４１で捜査モード用サーチ信号を生成し、ステップＳ４２で生成した捜査モード用サーチ信号を記憶する。捜査モード用サーチ信号は、どのような信号を生成してもよいが、本実施の形態では紛失した携帯端末装置１００の電話番号に基づいて捜査モード用サーチ信号を生成する。
【００９６】
そして、紛失した携帯端末装置１００用に生成した捜査モード用サーチ信号を発信し（番号５０５参照）、紛失した携帯端末装置１００を探す。
【００９７】
捜査の結果、認証制御部４１４は、紛失した携帯端末装置１００から捜査モード用サーチ信号に対する捜査モード用サーチ応答を受信する（番号５０６参照）。
【００９８】
ステップＳ４３では、捜査モード用サーチ応答を照合し、ステップＳ４４で捜査モード用サーチ応答が受信レベルＡ１以上の応答信号か否かを判別する。照合の結果、受信レベルＡ１以上の捜査モード用サーチ応答でない場合は、紛失した携帯端末装置１００を発見していないと判断して、上記ステップＳ４３に戻り再度、捜査モード用サーチ信号５０５を送信する。捜査モード用サーチ応答が受信レベルＡ１以上の応答信号の場合は、ステップＳ４５に進むとともに、照合結果を携帯端末装置制御部４０８に通知する（番号５０３参照）。
【００９９】
ステップＳ４５では、捜査モード用サーチ応答が受信レベルＡ２（Ａ２＞Ａ１）以上の応答信号か否かを判別する。受信レベルＡ２以上の捜査モード用サーチ応答でない場合は、紛失した携帯端末装置１００を発見していないと判断して上記ステップＳ４３に戻る。捜査モード用サーチ応答が受信レベルＡ２以上の場合は、紛失した携帯端末装置１００を発見できた判断して捜査モード終了通知を携帯端末装置制御部４０８に通知する（番号５０４参照）。
【０１００】
以上は、他の携帯端末装置４００の動作である。紛失した携帯端末装置１００の動作は以下の通りである。
【０１０１】
〔紛失した携帯端末装置１００の携帯端末装置制御部１０８の動作〕
紛失した携帯端末装置１００は、実施の形態１と同様に、位置情報を提供後、ロック状態で<報知モード>になる。
【０１０２】
紛失した携帯端末装置１００は、キーロックのかかっている状態で、他の端末から位置情報の問い合わせがあったとき紛失したと判断し、基地局３００に位置情報を送信するとともに、<報知モード>に移行する。
【０１０３】
<報知モード>に移行すると、無線認証部１０７に報知モード起動要求を発行し（番号５０７参照）、無線認証部１０７から報知モード終了通知を受信する（番号５０８参照）。そして、無線認証部１０７から報知モード起動応答を受信すると（番号５０９参照）、無線認証部１０７に自／提供元電話番号を通知する（番号５１０参照）。
【０１０４】
ステップＳ５１では、携帯端末装置制御部１０８は無線制御部１０７からの照合結果通知（番号５１１参照）を受けてスピーカ１０３及びバイブレータ（図示せず）により鳴動させる。なお、この鳴動は、無線制御部１０７からの照合結果通知（番号５１１参照）を待たずに、<報知モード>に入ると行う態様でもよい。
【０１０５】
無線制御部１０７から報知モード終了応答を受信すると（番号５１２参照）、ステップＳ５２で鳴動を停止する。これにより、<報知モード>が終了し<通常モード>に戻る。
【０１０６】
〔紛失した携帯端末装置１００の無線認証部１０７の動作〕
携帯端末装置制御部１０８から報知モード起動要求を受信すると（番号５０７参照）、ステップＳ６１でロック状態か否かを判別する。ロック状態でなければ、携帯端末装置制御部１０８に報知モード終了通知を送信し（番号５０８参照）、ロック状態であれば、携帯端末装置制御部１０８に報知モード起動応答を送信する（番号５０９参照）。
【０１０７】
携帯端末装置制御部１０８から自／提供元電話番号が通知されると（番号５１０参照）、ステップＳ６２で捜査モード用サーチ信号を生成し、ステップＳ６３で生成した捜査モード用サーチ信号を記憶する。本実施の形態では、紛失した携帯端末装置１００の電話番号に基づいて捜査モード用サーチ信号、及び捜査モード用サーチ応答を生成する。
【０１０８】
そして、他の携帯端末装置４００からの捜査モード用サーチ信号を受信し（番号５０５参照）、ステップＳ６４で捜査モード用サーチ信号を照合し、他の携帯端末装置４００に
捜査モード用サーチ応答を返す（番号５０６参照）。
【０１０９】
ステップＳ６５では、捜査モード用サーチ信号が受信レベルＡ１以上の信号か否かを判別する。受信レベルＡ１以上の捜査モード用サーチ信号でない場合は、自端末（紛失した携帯端末装置１００）が発見されていないと判断して、上記ステップＳ６４に戻り再度、捜査モード用サーチ信号５０５を待ち受ける。サーチ応答が受信レベルＡ１以上の応答信号の場合は、ステップＳ６６に進むとともに、照合結果を携帯端末装置制御部１０８に通知する（番号５１１参照）。
【０１１０】
ステップＳ６６では、捜査モード用サーチ信号が受信レベルＡ２（Ａ２＞Ａ１）以上の応答信号か否かを判別する。受信レベルＡ２以上の捜査モード用サーチ信号でない場合は、紛失した携帯端末装置１００を発見していないと判断して上記ステップＳ６４に戻る。捜査モード用サーチ信号が受信レベルＡ２以上の場合は、自端末（紛失した携帯端末装置１００）が発見された判断して報知モード終了通知を携帯端末装置制御部１０８に通知する（番号５１２参照）。
【０１１１】
以上、図１０のフロー及び制御シーケンスにより他の携帯端末装置４００の動作及び紛失した携帯端末装置１００の動作について説明した。図１１及び図１２のフローを参照してより詳細な動作について説明する。
【０１１２】
図１１は、紛失した携帯端末装置１００を捜査する他の携帯端末装置４００の動作を示すフローチャートであり、認証制御部４１４により実行される。本実施の形態は、他の携帯端末装置４００を使って紛失した携帯端末装置１００を捜査する例であるため、前記図５のキーユニット２００の動作に代えて、本フローの実行となる。
【０１１３】
ステップＳ７１では、<通常モード>にある他の携帯端末装置４００が、ステップＳ７２で基地局３００を介して位置情報要求を送信する。
【０１１４】
ステップＳ７３では、紛失した携帯端末装置１００の位置情報を受信し、ステップＳ７４でＧＰＳ機能を使って他の携帯端末装置４００自身の現在地を測位する。
【０１１５】
ステップＳ７５では、受信した紛失した携帯端末装置１００の位置情報と、測位した他の携帯端末装置４００の位置情報とを比較し、所定の範囲に紛失した携帯端末装置があるかどうかを判定する。
【０１１６】
他の携帯端末装置４００自身が受信した位置情報の周辺にない場合は、ステップＳ７４に戻り、定期的に現在地を測位する。
【０１１７】
他の携帯端末装置４００自身が所定の範囲内にある場合は、ステップＳ７６で紛失した携帯端末装置１００と他の携帯端末装置４００との電話番号を使って捜査モード用サーチ信号及び捜査モード用サーチ応答信号を生成する。
【０１１８】
捜査モード用サーチ信号及び捜査モード用サーチ応答信号を生成すると、ステップＳ７７で<捜査モード>に移行し、ステップＳ７８で捜査モード用サーチ信号を送信する。その後、ステップＳ７９で捜査モード用サーチ応答信号を受信したか否かを判定する。
【０１１９】
捜査モード用サーチ応答信号を受信していない場合、又は受信しても正しい捜査モード用応答信号でない場合は、ステップＳ７８に戻り、再度捜査モード用サーチ信号を送信する。
【０１２０】
正しい捜査モード用応答信号を受信した場合は、ステップＳ８０で捜査モード用応答信号受信レベルが所定の受信レベルＡ１以上か否かを判別する。
【０１２１】
捜査モード用応答信号受信レベルが受信レベルＡ１より小さい場合は、ステップＳ８１で鳴動及び／又は表示をせずに上記ステップＳ７８に戻る。
【０１２２】
捜査モード用応答信号受信レベルが受信レベルＡ１以上の場合は、ステップＳ８２で捜査モード用応答信号受信レベルが所定の受信レベルＡ２（但し、Ａ２＞Ａ１）以上か否かを判別する。
【０１２３】
捜査モード用応答信号受信レベルが受信レベルがＡ２より小さい場合は、ステップＳ８３で鳴動及び／又は表示を開始し、上記ステップＳ７８に戻り、再度捜査モード用サーチ信号を送信し、応答を待つ。
【０１２４】
ここで、捜査モード用応答信号受信レベルが受信レベルＡ１からＡ２の範囲では、捜査モード用応答信号受信レベルを段階的に表示するなどして紛失した携帯端末装置に近づいているかどうかを知らせてもよい。
【０１２５】
このようなフローを定期的に繰り返し、捜査モード用応答信号受信レベルが受信レベルＡ２以上の場合は、紛失した携帯端末装置が手に届くような範囲（受信レベルＡ２に相当）に来たと判断して、ステップＳ８４で鳴動及び／又は表示を停止する。その後、ステップＳ８５で捜査モード用サーチ信号及び捜査モード用サーチ応答信号を消去し、動作を終了する。
【０１２６】
図１２は、紛失した携帯端末装置１００の動作を示すフローチャートであり、携帯端末装置制御部１０８により実行される。図１２は、前記図６のフローに対応するもので同一処理には同一ステップ番号を付して説明を省略する。
【０１２７】
ステップＳ１４でロック状態と判定した場合、ステップＳ９１で捜査モード用サーチ信号及び捜査モード用サーチ応答を生成する。
【０１２８】
ステップＳ１５で<報知モード>に移行すると、ステップＳ９２で<報知モード>中に他の携帯端末装置４００からの捜査モード用サーチ信号を受信したか否かを判別する。
【０１２９】
<報知モード>中に他の携帯端末装置４００からの捜査モード用サーチ信号を受信した場合は、ステップＳ９３で他の携帯端末装置４００に対して捜査モード用サーチ応答を送信する。
【０１３０】
ステップＳ９４では、捜査モード用サーチ信号受信レベルが所定の受信レベルＡ１以上か否かを判別する。捜査モード用サーチ信号受信レベルが所定の受信レベルＡ１より小さければ、ステップＳ２０に移り、ステップＳ２０で鳴動停止のまま上記ステップＳ９２に戻る。
【０１３１】
捜査モード用サーチ信号受信レベルが所定の受信レベルＡ１以上の場合は、ステップＳ９５で捜査モード用サーチ信号受信レベルが所定の受信レベルＡ２（但し、Ａ２＞Ａ１）以上か否かを判定する。受信レベルがＡ２より小さければ、ステップＳ２２で鳴動を開始する。
【０１３２】
上記ステップＳ９５で捜査モード用サーチ信号受信レベルが所定の受信レベルＡ２以上の場合は、紛失した携帯端末装置が手に届くような範囲（受信レベルＡ２に相当）に来たと判断してステップＳ２３で鳴動を停止する。
【０１３３】
ステップＳ９６では、捜査モード用サーチ信号及び捜査モード用サーチ応答信号を消去して<報知モード>を終了し、<通常モード>に移行する。
【０１３４】
ステップＳ９７では、<通常モード>でキーユニット２００からのサーチ信号を待ち受ける。キーユニット２００からのサーチ信号が受信できない場合は、ステップＳ９９の<サーチモード>に移行する。キーユニット２００からのサーチ信号を受信した場合は、ステップＳ９８で認証動作を行い、認証成功か否かを判別する。
【０１３５】
認証が成功した場合は、ステップＳ２４でロックを解除し、ステップＳ２５で<認証モード>に移行して本フローを終了する。
【０１３６】
上記ステップＳ９７でキーユニット２００からのサーチ信号が受信できない場合、あるいは上記ステップＳ９８で認証が失敗した場合は、ステップＳ９９で<サーチモード>に移行して本フローを終了する。
【０１３７】
図１３は、以上で説明した実施の形態１と実施の形態２のサーチ信号と捜査モード用サーチ信号、信号の識別方法、信号受信時の動作及び効果の差異についてまとめた図である。
【０１３８】
このように、本実施の形態によれば、他の携帯端末装置４００を使って紛失した携帯端末装置１００を探す場合、他の携帯端末装置４００は、紛失した携帯端末装置１００から送信された位置情報を受信すると、<通常モード>から<捜査モード>に移行し、無線認証部４０７の送受信部４１０により捜査モード用サーチ信号を送信する。携帯端末装置制御部４０８は、<捜査モード>時には表示部４０４により紛失した携帯端末装置１００の位置情報又はおよその位置を表示する。また、捜査モード用サーチ応答信号の受信レベルが所定レベル以上の場合には表示を停止して<通常モード>に復帰する。したがって、実施の形態１と同様の効果、すなわち紛失した携帯端末装置１００の場所をより絞り込むことができ、直接電話をかけたときのように鳴りっぱなしで周囲に迷惑をかけるといったことがなくなる効果を得ることができる。
【０１３９】
特に、本実施の形態では、他の携帯端末装置４００から紛失した携帯端末装置１００を探すことができるので、キーユニットを使って探す場合に比べて、より見つけることが容易になることが期待できる。例えば、他の携帯端末装置４００の表示部４０４を使うことで、騒音が大きく鳴動が聞こえないようなところでも発見したかどうかがわかる。また、キーユニットがない又はペアリングされていない場合や一緒に紛失した場合などにも有効である。
【０１４０】
ここで、他の携帯端末装置４００を複数使用するようにすれば、より短時間で紛失した携帯端末装置１００を発見することができる。また、実施の形態１のキーユニット２００を使う捜査方法を併用してもよいことは勿論である。
【０１４１】
以上の説明は本発明の好適な実施の形態の例証であり、本発明の範囲はこれに限定されることはない。例えば、紛失した携帯端末装置／他の携帯端末装置として携帯電話機に適用した例について説明しているが、いずれか一方又は両方とも携帯電話機に限らずＰＤＡ等の携帯情報端末、パーソナルコンピュータ又はその融合された装置、さらにはＭＰ３プレーヤー、ＨＤＤプレーヤーなどの携帯機器に適用可能である。
【０１４２】
また、図５及び図９の動作例は一例であり、また、図１３の説明は要点を分かり易く説明するための一例であって、必ずしもこれらに限定されるものではない。。
【０１４３】
また、本実施の形態では携帯端末装置、無線認証ユニット及び捜査方法という名称を用いたが、これは説明の便宜上であり、携帯電話機、捜索システム、携帯端末装置の発見方法等であってもよいことは勿論である。
【０１４４】
さらに、上記携帯端末装置及び無線認証ユニットを構成する各回路部、例えば無線認証部等の種類、数及び接続方法などは前述した実施の形態に限られない。また、他の携帯端末装置４００から紛失した携帯端末装置１００を探す場合、互いの電話番号を基に捜査モード用サーチ信号を生成しているが、捜査モード用サーチ信号はどのような生成方法でもよい。例えば、ＩＤ／乱数／暗号化した乱数等を用いてもよく、それらの元情報に電話番号を用いても／用いなくてもよい。
【０１４５】
また、以上説明した携帯端末装置及びその捜査方法は、これら携帯端末装置及びその捜査方法を機能させるためのプログラムでも実現される。このプログラムはコンピュータで読み取り可能な記録媒体に格納されている。
【産業上の利用可能性】
【０１４６】
本発明に係る携帯端末装置及びその捜査方法は、紛失した携帯電話機／ＰＨＳ，ＰＤＡ，ノート型ＰＣ，ＭＰ３プレーヤー，ＨＤＤプレーヤーなどの携帯端末装置の発見方法の用途に有効である。また、無線認証ユニットとの間で無線信号を送受信して無線認証を行う携帯電話機などの携帯端末装置、認証制御システムの用途にも有用である。また、捜査プログラムとして携帯電話機などの携帯機器やＰＣに組み込むことも可能である。
【図面の簡単な説明】
【０１４７】
【図１】本発明の実施の形態１に係る携帯端末装置の構成を示すブロック図
【図２】上記実施の形態１に係る携帯端末装置の通常モードの携帯端末装置及びキーユニットの動作を説明する図
【図３】上記実施の形態１に係る携帯端末装置の報知モードの携帯端末装置及びキーユニットの動作を説明する図
【図４】上記実施の形態１に係る携帯端末装置の紛失した携帯端末装置のモード移行を説明する図
【図５】上記実施の形態１に係る携帯端末装置のキーユニットの動作を示すフロー図
【図６】上記実施の形態１に係る携帯端末装置の紛失した携帯端末装置の動作を示すフロー図
【図７】本発明の実施の形態２に係る携帯端末装置の構成を示すブロック図
【図８】上記実施の形態２に係る携帯通信端末の報知モードの携帯端末装置と捜査モードの他の携帯端末装置の動作を説明する図
【図９】上記実施の形態２に係る携帯通信端末の紛失した携帯端末装置を捜査する他の携帯端末装置のモード移行を説明する図
【図１０】上記実施の形態２に係る携帯通信端末の他の携帯端末装置の動作及び紛失した携帯端末装置の動作を示すフロー図
【図１１】上記実施の形態２に係る携帯通信端末紛失した携帯端末装置を捜査する他の携帯端末装置の動作を示すフロー図
【図１２】上記実施の形態２に係る携帯通信端末の紛失した携帯端末装置の動作を示すフロー図
【図１３】上記実施の形態１と実施の形態２の差異をまとめた図
【符号の説明】
【０１４８】
１００，４００  携帯端末装置
１０１，１０６，２０１，４０１，４０６  アンテナ
１０２，４０２  通信部
１０３，４０３  スピーカ
１０４，４０４  表示部
１０５，４０５  ＧＰＳ
１０７，２０５，４０７  無線認証部
１０８，４０８  携帯端末装置制御部
２００  キーユニット（無線認証ユニット）
２０２，４１０  送受信部
２０３，４１２  ＩＤ記憶部
２０４  認証制御部
３００  基地局
４１１  捜査モード用サーチ信号／サーチ応答記憶部
４１３  捜査モード用サーチ信号／サーチ応答生成部
４１４  認証制御部
【図１】
2009027562.tif 000003
【図２】
2009027562.tif 000004
【図３】
2009027562.tif 000005
【図４】
2009027562.tif 000006
【図５】
2009027562.tif 000007
【図６】
2009027562.tif 000008
【図７】
2009027562.tif 000009
【図８】
2009027562.tif 000010
【図９】
2009027562.tif 000011
【図１０】
2009027562.tif 000012
【図１１】
2009027562.tif 000013
【図１２】
2009027562.tif 000014
【図１３】
2009027562.tif 000015